(57)【要約】      （修正有）【課題】歩行型作業機の車軸に装備する左右一対の耕耘ロータの横外側端に着脱可能に装備する耕耘作業用のロータプレートに関し、ロータプレートの土壌に対する食い込み度合いの使い分けを容易に行えるようにする。【解決手段】車軸駆動式の耕耘ロータ１の横外側端に着脱可能に装備するプレート９に、耕耘ロータ側に突出する突出部９Ｂを設け、突出部９Ｂを、プレート９の回転方向によって土壌への食い込み度合いが異なるように形成してある。【選択図】図３
2009240213.tif 000002
【特許請求の範囲】
【請求項１】
車軸駆動式の耕耘ロータの横外側端に着脱可能に装備するプレートに、耕耘ロータ側に突出する突出部を設け、
前記突出部を、前記プレートの回転方向によって土壌への食い込み度合いが異なるように形成してあることを特徴とする耕耘作業用のロータプレート。
【請求項２】
前記突出部を、前記プレートの周方向での前記プレートからの突出量が異なるように形成してあることを特徴とする請求項１に記載の耕耘作業用のロータプレート。
【請求項３】
前記突出部を、前記プレートの周方向での前記プレートの回転中心からの距離が異なるように形成してあることを特徴とする請求項１に記載の耕耘作業用のロータプレート。
【請求項４】
前記突出部を前記プレートに切り起こし形成してあることを特徴とする請求項１〜３のいずれか一つに記載の耕耘作業用のロータプレート。
【請求項５】
前記プレートに別部材を固着して前記突出部を形成してあることを特徴とする請求項１〜３のいずれか一つに記載の耕耘作業用のロータプレート。
【発明の詳細な説明】
【技術分野】
【０００１】
本発明は、歩行型作業機の車軸に装備する左右一対の耕耘ロータの横外側端に着脱可能に装備する耕耘作業用のロータプレートに関する。
【背景技術】
【０００２】
上記のような耕耘作業用のロータプレートとしては、左右の耕耘ロータの横外側端に着脱可能に装備する側板（プレート）の外周部分に複数の刃を形成し、それらの刃を、一方に回転したときは土壌に対して食い込み勝手に、他方に回転したときは土壌に対して浮き上がり勝手に作用するように構成したものがある（例えば特許文献１参照）。
【特許文献１】特許第４０３９４９６号公報
【発明の開示】
【発明が解決しようとする課題】
【０００３】
上記の構成によると、作業対象の土壌の土質が、火山灰土、砂地、湿田などのように柔らかく、耕耘爪が土中に深く入り込み易い場合には、左右のロータプレートを、それらの各刃が土壌に対して浮き上がり勝手に作用するように左右の耕耘ロ−タに装着することにより、耕耘爪が土中に深く入り込むことに起因した耕耘ロ−タの沈下を防止することができる。
【０００４】
また、作業対象の土壌の土質が、乾燥した粘土質土壌などのように硬く、耕耘爪が土中に入り込み難い場合には、左右のロータプレートを、それらの各刃が土壌に対して食い込み勝手に作用するように反転させて左右の耕耘ロ−タに付け替え装着することにより、耕耘爪が土中に入り込み易くなり、耕耘ロ−タの浮き上がりを防止することができる。
【０００５】
ところで、上記の従来構造では、各刃を僅かに変形させることにより、それらが土壌に対して食い込み勝手に作用する状態と浮き上がり勝手に作用する状態とを作り出している。
【０００６】
そのため、左右の耕耘ロータに対して、左右どちらのロータプレートを装着した場合に、それらの各刃が食い込み勝手になり浮き上がり勝手になるのかが分かり難いという使い勝手の面において改善の余地があった。
【０００７】
本発明の目的は、ロータプレートの土壌に対する食い込み度合いの使い分けを容易に行えるようにすることにある。
【課題を解決するための手段】
【０００８】
上記の目的を達成するため、本発明のうちの請求項１に記載の発明では、
車軸駆動式の耕耘ロータの横外側端に着脱可能に装備するプレートに、耕耘ロータ側に突出する突出部を設け、
前記突出部を、前記プレートの回転方向によって土壌への食い込み度合いが異なるように形成してあることを特徴とする。
【０００９】
この特徴構成によると、作業対象の土壌の土質が、火山灰土、砂地、湿田などのように柔らかく、耕耘爪が土中に入り込み易い場合には、ロータプレートを、その突出部の土壌に対する食い込み度合いが低くなるように左右の耕耘ロ−タに装着することにより、耕耘爪が土中に深く入り込むことに起因した耕耘ロ−タの沈下を防止することができる。
【００１０】
逆に、作業対象の土壌の土質が、乾燥した粘土質土壌などのように硬く、耕耘爪が土中に入り込み難い場合には、ロータプレートを、その突出部の土壌に対する食い込み度合いが高くなるように、左右反対側の耕耘ロ−タに反転させて装着する（プレートの回転方向を反転させる）ことにより、耕耘爪が土中に入り込み易くなり、耕耘ロ−タの浮き上がりを防止することができる。
【００１１】
つまり、作業対象の土壌の土質などに応じて、ロータプレートを、左右の耕耘ロ−タに正対して装着する状態と、左右反対側の耕耘ロ−タに反転させて装着する（プレートの回転方向を反転させる）状態とに付け替える、といった土壌に対する突出部の食い込み度合いの使い分けを行なうことにより、耕耘ロータによる耕深を安定させることができる。また、その使い分けにより、浅起こし作業と深起こし作業とを選択して行なうことができる。
【００１２】
そして、この特徴構成では、プレートから耕耘ロータに向けて突出する突出部の形状により、ロータプレートを左右の耕耘ロータに正対して装着した場合の突出部の土壌に対する食い込み度合いと、そのロータプレートを左右反対側の耕耘ロータに反転させて装着した場合（回転方向を反転させた場合）の突出部の土壌に対する食い込み度合いとの違いを容易に判別することができる。
【００１３】
従って、ロータプレートの土壌に対する食い込み度合いの使い分けを突出部の形状から判断して行える使い勝手に優れた耕耘作業用のロータプレートを提供することができる。
【００１４】
本発明のうちの請求項２に記載の発明では、上記請求項１に記載の発明において、
前記突出部を、前記プレートの周方向での前記プレートからの突出量が異なるように形成してあることを特徴とする。
【００１５】
この特徴構成によると、突出部におけるプレート周方向でのプレートからの突出量の違いにより、ロータプレートを左右の耕耘ロータに正対して装着した場合の突出部の土壌に対する食い込み度合いと、そのロータプレートを左右反対側の耕耘ロータに反転させて装着した場合（回転方向を反転させた場合）の突出部の土壌に対する食い込み度合いとの違いを容易に判別することができる。
【００１６】
従って、ロータプレートの土壌に対する食い込み度合いの使い分けを、突出部におけるプレート周方向でのプレートからの突出量の違いから判断して行える、より使い勝手に優れた耕耘作業用のロータプレートを提供することができる。
【００１７】
本発明のうちの請求項３に記載の発明では、上記請求項１に記載の発明において、
前記突出部を、前記プレートの周方向での前記プレートの回転中心からの距離が異なるように形成してあることを特徴とする。
【００１８】
この特徴構成によると、突出部におけるプレート周方向でのプレート回転中心からの距離の違いにより、ロータプレートを左右の耕耘ロータに正対して装着した場合の突出部の土壌に対する食い込み度合いと、そのロータプレートを左右反対側の耕耘ロータに反転させて装着した場合（回転方向を反転させた場合）の突出部の土壌に対する食い込み度合いとの違いを容易に判別することができる。
【００１９】
従って、ロータプレートの土壌に対する食い込み度合いの使い分けを、突出部におけるプレート周方向でのプレート回転中心からの距離の違いから判断して行える、より使い勝手に優れた耕耘作業用のロータプレートを提供することができる。
【００２０】
本発明のうちの請求項４に記載の発明では、上記請求項１〜３のいずれか一つに記載の発明において、
前記突出部を前記プレートに切り起こし形成してあることを特徴とする。
【００２１】
この特徴構成によると、プレス加工によりロータプレートを所定の形状に形成する際の作業工程において、ロータプレートに突出部を一体形成することができる。
【００２２】
従って、作業工程や部品点数の削減による生産性の向上や製造コストの削減を図ることができる。
【００２３】
本発明のうちの請求項５に記載の発明では、上記請求項１〜３のいずれか一つに記載の発明において、
前記プレートに別部材を固着して前記突出部を形成してあることを特徴とする。
【００２４】
この特徴構成によると、土壌に食い込むプレートの接地部を突出部により補強することができる。これにより、長期の使用などによるロータプレートの変形を抑制することができる。
【００２５】
従って、より長期にわたって使用することができる信頼性の高い耕耘作業用のロータプレートを提供することができる。
【発明を実施するための最良の形態】
【００２６】
以下、本発明を実施するための最良の形態を図面に基づいて説明する。
【００２７】
なお、車軸駆動式の耕耘ロータは、歩行型作業機の下部に左右向きに備えた車軸の左右の外端部に着脱可能に装着する左右一対のものである。本発明に係る耕耘作業用のロータプレートは、左右の耕耘ロータの横外側端に着脱可能に装備する左右一対のものである。そして、これらは左右対称の同じ構成のものであることから、以下には、歩行型作業機の左側に配備する左用の耕耘ロータと耕耘作業用のロータプレートの構成についてのみ説明する。
【００２８】
図１は左用の耕耘ロータ１と耕耘作業用のロータプレート２との分解斜視図である。図２は左用の耕耘ロータ１の左外側端にロータプレート２を装備した背面図である。図３は左用の耕耘ロータ１の左外側端にロータプレート２を装備した左側面図である。
【００２９】
これらの図に示すように、車軸駆動式の耕耘ロータ１は、側面視略六角形状のロータ軸３に、６本の耕耘爪４を、ロータ軸３の周方向に等間隔（６０度間隔）で位置し、かつ、ロータ軸３の軸心方向に所定間隔を隔てて位置するように配備して構成してある。
【００３０】
ロータ軸３の周方向での各耕耘爪４の配置について詳述すると、ロータ軸３の右半部では、その右半部に位置する３本の耕耘爪４がロータ軸３の周方向に等間隔（１２０度間隔）で位置するように配置してある。また、ロータ軸３の左半部では、その左半部に位置する３本の耕耘爪４が、右半部の耕耘爪５に対してロータ軸３の周方向に６０度の回転角の差を有しながら、ロータ軸３の周方向に等間隔（１２０度間隔）で位置するように配置してある。これにより、ロータ軸３の全体としては、６本の耕耘爪４がロータ軸３の周方向に等間隔（６０度間隔）で位置することになる。
【００３１】
各耕耘爪４は、ロータ軸３からその回転方向下手側の外方に向けて湾曲しながら延出するように形成してある。これにより、作業時には、各耕耘爪４が、その外方への延出量の小さい回転方向上手側の部分から順に未耕地部分に打ち込まれて未耕地部分を耕起するようになる。その結果、未耕地部分が硬い場合であっても耕耘爪４が未耕地部分に打ち込まれる際の衝撃が小さくなる。
【００３２】
ロータ軸３の右端部側(一端部側）の中心部には、歩行型作業機の車軸に外嵌する円筒軸５を配備してある。車軸および円筒軸５には、それらを一体回転可能に連結する連結ピン６の挿通を許容する連結孔（図示せず）を、それらの軸心と直交するように穿設してある。ロータ軸３において円筒軸５の連結孔と対向する一対の所定箇所には、連結ピン６の挿通を許容する挿通孔（図示せず）を穿設してある。連結ピン６の挿通端には、抜止ピン挿通用のピン孔（図示せず）を穿設してある。
【００３３】
これにより、歩行型作業機の車軸に耕耘ロータ１の円筒軸５を外嵌した後、連結ピン６を、ロータ軸３の挿通孔と円筒軸５の連結孔と車軸の連結孔とに挿通し、連結ピン６のピン孔に抜止ピン（図示せず）を挿通することにより、車軸に耕耘ロータ１を着脱可能に装着することができる。
【００３４】
ロータ軸３の左端部側（他端部側）の中心部には六角筒軸７を配備してある。ロータ軸３の左端部には、連結孔８Ａを穿設したブラケット８を立設してある。
【００３５】
図１〜４に示すように、ロータプレート２は、その径方向の外方に向けて延出し、かつ、周方向に等間隔（１２０度間隔）で位置する３つの延出部９Ａを備える三芒星形状（略三角形状の一例）に形成したプレート９などにより構成してある。各延出部９Ａは、その延出端側ほど右側（ロータ軸側）に位置するように湾曲させてある。プレート９の中心部には、ロータ軸３の六角筒軸７に内嵌する六角軸１０を配備してある。プレート９の外周側には、ロータ軸３の連結孔８Ａに挿通する連結ピン１１を右方に向けて突設してある。連結ピン１１の突出端には、抜止ピン挿通用のピン孔１１Ａを穿設してある。
【００３６】
これにより、ロータ軸３の六角筒軸７にロータプレート２の六角軸１０を内嵌し、かつ、ロータ軸３の連結孔８Ａにロータプレート２の連結ピン１１を挿通した後、連結ピン１１のピン孔１１Ａに抜止ピン（図示せず）を挿通することにより、ロータ軸３の左端部（他端部）にロータプレート２を着脱可能に取り付けることができる。
【００３７】
また、前述したように、左右の耕耘ロータ１およびロータプレート２は左右対称形状であることから、左右のロータプレート２は、それらの向きを左右方向に反転させることにより、左右反対側の耕耘ロータ１に装備することができる（図３および図４参照）。
【００３８】
プレート９の各延出部９Ａには、耕耘ロータ側に突出する突出部９Ｂを切り起こし形成してある。各突出部９Ｂは、それらのプレート９の周方向でのプレート９からの突出量が異なるように形成してある。具体的には、この左用のロータプレート２を左用の耕耘ロータ１の左端部に取り付けた場合に、各突出部９Ｂにおけるプレート回転方向（図３において矢印で示す方向）の下手側ほどプレート９からの突出量が大きくなるように形成してある。
【００３９】
これにより、この左用のロータプレート２を左用の耕耘ロータ１の左端部に取り付けた場合には、このロータプレート２が耕耘ロータ１とともに回転駆動されるのに伴って、各突出部９が、それらの耕耘ロータ側への突出量の大きい切り起こし終端側から土壌に作用するようになる（図３参照）。そのため、各突出部９が土壌に食い込み難くなる。
【００４０】
逆に、この左用のロータプレート２を右用の耕耘ロータ１の右端部に取り付けた場合には、このロータプレート２が耕耘ロータ１とともに回転駆動されるのに伴って、各突出部９が、それらの耕耘ロータ側への突出量の小さい切り起こし始端側から土壌に作用するようになる（図４参照）。そのため、各突出部９が土壌に食い込み易くなる。
【００４１】
つまり、左右のロータプレート２を左右正対側の耕耘ロータ１の横外側端に装備した場合と、左右反対側の耕耘ロータ１の横外側端に装備した場合とでは、左右のロータプレート２の回転方向が反対になり、各突出部９Ｂの土壌への食い込み度合いが異なることになる。
【００４２】
その結果、作業対象土壌の土質が、火山灰土、砂地、湿田などのように柔らかく、各耕耘爪４が土中に入り込み易い場合には、左右のロータプレート２を、各突出部９Ｂの土壌に対する食い込み度合いが低くなるように左右正対側の耕耘ロ−タ１に装着することにより、各耕耘爪４が土中に深く入り込むことに起因した耕耘ロ−タ１の沈下を防止することができる。
【００４３】
逆に、作業対象の土壌の土質が、乾燥した粘土質土壌などのように硬く、各耕耘爪４が土中に入り込み難い場合には、ロータプレート２を、各突出部９Ｂの土壌に対する食い込み度合いが高くなるように左右反対側の耕耘ロ−タ１に付け替え装着する（プレート９の回転方向を反転させる）ことにより、各耕耘爪４が土中に入り込み易くなり、各耕耘ロ−タ１の浮き上がりを防止することができる。
【００４４】
つまり、左右のロータプレート２を左右正対側の耕耘ロータ１に装着する状態と左右反対側の耕耘ロータ１に装着する状態とを、土壌の土質などに応じて使い分けることにより、耕耘ロータ１による耕深を安定させることができる。また、その使い分けにより、浅起こし作業と深起こし作業とを選択して行なうことができる。
【００４５】
そして、各突出部９Ｂにおけるプレート周方向でのプレート９からの突出量の違いにより、左右のロータプレート２を左右正対側の耕耘ロータ１に装着して回転させた場合と、それらのロータプレート２を左右反対側の耕耘ロータ１に付け替えて回転させた場合（回転方向を反転させた場合）とにおける、各突出部９Ｂの土壌に対する食い込み度合いの違いを容易に判別することができる。
【００４６】
〔別実施形態〕
【００４７】
〔１〕プレート９としては、その径方向の外方に向けて延出し、かつ、周方向に等間隔（１２０度間隔）で位置する３つの延出部９Ａを備える略三角形状のものにおいて、例えば、図５の（Ａ）に示すように、隣り合う２つの延出部９Ａを直線で結ぶ形状のものであってもよく、また、図５の（Ｂ）に示すように、隣り合う２つの延出部９Ａを外方に向けて膨出するように湾曲した曲線で結ぶ形状のものであってもよい。さらに、図５の（Ｃ）に示すように円形状のものであってもよく、また、図示は省略するが、三角形状以外の多角形状のものであってもよい。
【００４８】
〔２〕プレート９としては、各延出部９Ａが、その延出端側ほど右側（ロータ軸側）に位置するように湾曲しない平板状のものであってもよい。
【００４９】
〔３〕耕耘ロータ１とロータプレート２との連結構造においては、六角筒軸７に代えて円筒軸を採用し、六角軸１０に代えて丸軸を採用するようにしてもよい。
【００５０】
〔４〕図６に示すように、各突出部９Ｂとしては、それらのプレート９の周方向でのプレート９の回転中心からの距離が異なるように各延出部９Ａに切り起こし形成したものであってもよい。
【００５１】
なお、この別実施形態では、左用のロータプレート２を左用の耕耘ロータ１の左端部に取り付けた場合に、各突出部９Ｂにおけるプレート回転方向〔図６の（Ａ）において矢印で示す方向〕の上手側ほどプレート９の回転中心からの距離が大きくなるように形成したものを例示してある。
【００５２】
そして、この例示構成では、左用のロータプレート２を左用の耕耘ロータ１の左端部に取り付けた場合には、このロータプレート２が耕耘ロータ１とともに回転駆動されるのに伴って、各突出部９が、それらのプレート９の回転中心からの距離の小さい側から土壌に作用するようになる〔図６の（Ａ）参照〕。そのため、各突出部９が土壌に食い込み難くなる。
【００５３】
逆に、この左用のロータプレート２を右用の耕耘ロータ１の右端部に取り付けた場合には、このロータプレート２が耕耘ロータ１とともに回転駆動されるのに伴って、各突出部９が、それらのプレート９の回転中心からの距離の大きい側から土壌に作用するようになる〔図６の（Ｂ）参照〕。そのため、各突出部９が土壌に食い込み易くなる。
【００５４】
〔５〕図７に示すように、各突出部９Ｂとしては、それらのプレート９の周方向でのプレート９の回転中心からの距離が異なるように各延出部９Ａに板金材（別部材の一例）１２を溶接したものであってもよい。
【００５５】
〔６〕図８に示すように、各突出部９Ｂとしては、それらのプレート９の周方向でのプレート９からの突出量が異なるように各延出部９Ａに板金材（別部材の一例）１２を溶接したものであってもよい。
【００５６】
〔７〕突出部９Ｂの数量や形状などは、プレート９の形状などに応じて種々の変更が可能である。
【図面の簡単な説明】
【００５７】
【図１】左用の耕耘ロータとロータプレートとの分解斜視図
【図２】左用の耕耘ロータの左外側端に左用のロータプレートを装備した背面図
【図３】左用の耕耘ロータの左外側端に左用のロータプレートを装備した左側面図
【図４】右用の耕耘ロータの右外側端に左用のロータプレートを装備した右側面図
【図５】別実施形態〔１〕での左用のロータプレートの形状を示す左側面図
【図６】別実施形態〔４〕での突出部の切り起こし形状を示す要部の右側面図
【図７】別実施形態〔５〕での突出部の取り付け形状を示す要部の右側面図
【図８】別実施形態〔６〕での突出部の取り付け形状を示す要部の右側面図
【符号の説明】
【００５８】
１  耕耘ロータ
９  プレート
９Ｂ  突出部
１２  別部材
【図１】
2009240213.tif 000003
【図２】
2009240213.tif 000004
【図３】
2009240213.tif 000005
【図４】
2009240213.tif 000006
【図５】
2009240213.tif 000007
【図６】
2009240213.tif 000008
【図７】
2009240213.tif 000009
【図８】
2009240213.tif 000010